(57)【要約】【課題】内部にチェンコンベア２４を設けるフィーダハウス１９の左右側壁１９ａ，１９ｂ間にテンション軸３３を上下動自在に挿通支持させ、左右コンベアチェン２９に押当てる左右テンションローラ３５をテンション軸３３上に回転自在に設けると共に、左右テンションローラ３５間のテンション軸３３を覆う円筒形の軸カバー４９を設ける普通形コンバインにおいて、テンションローラ３５と軸カバー４９とのつなぎ目の隙間Ｌ１に藁屑や粉塵の詰まりが発生し、テンションローラ３５の回転不良によるローラ３５表面の摩耗を防止する。【解決手段】各テンションローラ３５の両側に輪状のスクレーパ４１Ａ，４１Ｂを設け、該スクレーパ４１Ａ，４１Ｂは、テンションローラ３５の端縁３５ａ，３５ｂに隙間Ｌ１を設けてはめ込む端縁の一部に切欠き５２Ａ，５２Ｂを形成したものとする。【選択図】　　　　図５
2004041088.tif 000002
【特許請求の範囲】
【請求項１】
内部にチェンコンベアを設けるフィーダハウスの左右側壁間にテンション軸を上下動自在に挿通支持させ、左右コンベアチェンに押当てる左右テンションローラをテンション軸上に回転自在に設けると共に、左右テンションローラ間のテンション軸を覆う円筒形の軸カバーを設ける普通形コンバインにおいて、各テンションローラの両側に輪状のスクレーパを設け、該スクレーパは、テンションローラの端縁に隙間を設けてはめ込む端縁の一部に切欠きを形成したことを特徴とする普通形コンバイン。
【請求項２】
前記切欠きの深さをテンションローラの端縁に対するスクレーパのはめ込み量より大に形成すると共に、前記切欠きをスクレーパの下半周面内に形成したことを特徴とする請求項１に記載の普通形コンバイン。
【請求項３】
前記スクレーパの中心部に軸受を設けると共に、該軸受とスクレーパを円盤状のディスクで一体連結し、テンション軸にスクレーパを支持させたことを特徴とする請求項１又は２に記載の普通形コンバイン。
【請求項４】
各テンションローラの内側に設けるスクレーパにより軸カバーをテンション軸に支持させたことを特徴とする請求項３に記載の普通形コンバイン。
【発明の詳細な説明】
【０００１】
【発明が属する技術分野】
本発明は、稲・麦・大豆などの穀物を刈取部で刈取り、刈取穀稈の全てをフィーダハウスに内設させたチェンコンベアによって脱穀部に供給し脱穀処理する普通形コンバインに関する。
【０００２】
【従来の技術】
従来、内部にチェンコンベアを設けるフィーダハウスの左右側壁間にテンション軸を上下動自在に挿通支持させ、左右コンベアチェンに押当てる左右テンションローラをテンション軸上に回転自在に設けると共に、左右テンションローラ間のテンション軸を覆う円筒形の軸カバーを設け、細いテンション軸に刈取穀稈が巻付くのを防止する技術があった。
【０００３】
【発明が解決しようとする課題】
前記従来技術は、軸カバーをテンション軸に固定支持して、軸カバーの両端部をテンションローラの内側端縁にはめ込む場合、テンションローラと軸カバー間にテンションローラの回転を許容するための隙間を設ける必要があるが、この隙間に細かい藁屑や粉塵の詰まりが発生し、テンションローラの回転を阻害し、テンションローラは収穫作業時間の経過に伴って間欠的な回転からついには回転不能となる。そして、テンションローラの回転不良によりローラ表面を摩耗させてしまう問題があった。
【０００４】
【課題を解決するための手段】
然るに、本発明は、内部にチェンコンベアを設けるフィーダハウスの左右側壁間にテンション軸を上下動自在に挿通支持させ、左右コンベアチェンに押当てる左右テンションローラをテンション軸上に回転自在に設けると共に、左右テンションローラ間のテンション軸を覆う円筒形の軸カバーを設ける普通形コンバインにおいて、各テンションローラの両側に輪状のスクレーパを設け、該スクレーパは、テンションローラの端縁に隙間を設けてはめ込む端縁の一部に切欠きを形成したもので、前記隙間に詰まろうとする藁屑や粉塵をスクレーパの切欠きの一端で掻落とし詰まりを防止し得るから、テンションローラを円滑に回転させ得、ローラ表面を摩耗させてしまうのを防止し得、テンションローラの耐久性を著しく向上させ得るものである。
【０００５】
また、前記切欠きの深さをテンションローラの端縁に対するスクレーパのはめ込み量より大に形成すると共に、前記切欠きをスクレーパの下半周面内に形成したもので、テンションローラと軸カバーのつなぎ目に下向きに開口される排塵口を形成し得、前記隙間からテンションローラ及び軸カバーの内部に侵入する藁屑や粉塵を排塵口から排出し得るから、テンションローラ及び軸カバーの内部に藁屑や粉塵が堆積するのを防止し得るものである。
【０００６】
また、前記スクレーパの中心部に軸受を設けると共に、該軸受とスクレーパを円盤状のディスクで一体連結し、テンション軸にスクレーパを支持させたもので、各テンションローラの内側のスクレーパにより軸カバーを密閉構造に形成し得るから、前記隙間から軸カバーの内部に藁屑や粉塵が侵入し堆積するのを確実に防止し得るものである。
【０００７】
また、各テンションローラの内側に設けるスクレーパにより軸カバーをテンション軸に支持させたもので、各テンションローラの内側のスクレーパを、軸カバーをテンション軸に固定支持するカバー受けとして兼用し得、テンションローラの回転不良を招くことなく、左右テンションローラ間のテンション軸への刈取穀稈の巻付きを適正に防止し得るものである。
【０００８】
【発明の実施の形態】
以下、本発明の実施例を図面に基づいて詳述する。図１は普通形コンバインの全体側面図、図２は同全体平面図であり、図中１は左右走行クローラ２を装設するトラックフレーム、３は前記トラックフレーム１上に架設する機台、４は軸流式のスクリュ形扱胴５及び処理胴６及び選別機構７などを備えていて機台３に搭載する脱穀部、８は揚穀筒９を介して取出す脱穀部４の穀粒を貯留する穀物タンク、１０は脱穀部４の前方に油圧シリンダ１１を介して昇降可能に装設する刈取部、１２は運転席１３及び運転操作部１４を備えていて穀物タンク８の前側に配設する運転キャビン、１５は穀物タンク８の後側に備えていてエンジン１６を内設するエンジン部、１７は穀物タンク８内の穀粒を取出す穀粒排出オーガである。
【０００９】
また、前記刈取部１０は、未刈穀稈を取入れる穀物刈取ヘッダー１８と、穀物刈取ヘッダー１８の後部略中央に連結させて刈取穀稈を脱穀部４に供給するフィーダハウス１９によって構成すると共に、未刈穀稈掻込リール２０と、往復駆動型刈刃２１と、分草板２２と、穀稈掻込オーガ２３とを穀物刈取ヘッダー１８に備え、穀物刈取ヘッダー１８に取込まれる刈取穀稈をフィーダハウス１９に内設するチェンコンベア２４を介して脱穀部４に供給し脱穀処理するように構成している。
【００１０】
図３に示すように、前記チェンコンベア２４は、フィーダハウス１９の脱穀部側開口端部で、フィーダハウス１９の左右側壁１９ａ，１９ｂ間に回転自在に挿通支持させる駆動軸２５と、フィーダハウス１９の刈取部側開口端部で、フィーダハウス１９の左右側壁１９ａ，１９ｂ間に回転自在に支持させる従動軸２６と、駆動軸２５上に係合軸支させる左右一対の駆動スプロケット２７と、従動軸２６上に回転自在に軸支させる従動ドラム２８と、駆動スプロケット２７と従動ドラム２８に巻掛けてフィーダハウス１９の内部左右側部で、フィーダハウス１９の脱穀側端部から刈取部側端部に張設させる左右一対のエンドレス状のコンベアチェン２９と、左右コンベアチェン２９間に等間隔に架設させる複数の掻板３０からなり、駆動軸２５に伝えるエンジン動力によりチェンコンベア２４を回転駆動させ、穀物刈取ヘッダー１８に取込まれた刈取穀稈をフィーダハウス１９の内側底面とチェンコンベア２４間で脱穀部４に供給するように構成している。
【００１１】
また、前記チェンコンベア２４に張力を付与するテンション機構３１をフィーダハウス１９に備えるもので、テンション機構３１は図４及び図５にも示すように、フィーダハウス１９の左右側壁１９ａ，１９ｂに形成された上下方向（チェンコンベア２４の張設方向と略直交する方向）に延びるガイド孔３２を介して、フィーダハウス１９の左右側壁１９ａ，１９ｂ間に上下動自在にテンション軸３３を挿通支持させると共に、テンション軸３３上にそれぞれベアリング３４を介して左右一対のテンションローラ３５を回転自在に設けている。また前記ガイド孔３２からフィーダハウス１９の左右側壁１９ａ，１９ｂ外側に突出させるテンション軸３３の両端部に摺動自在に貫通させるガイド棒３６を設け、フィーダハウス１９の左右側壁１９ａ，１９ｂ外側でガイド孔３２上方に固着させたブラケット３７に、テンション軸３３より上方に突出するガイド棒３６上端部を締結させると共に、テンション軸３３より下方に突出するガイド棒３６の下端部にバネ力調節用のアジャストナット３８を螺着させ、テンション軸３３とアジャストナット３８間のガイド棒３６に上下バネ座３９ａ，３９ｂを介してテンションバネ４０を装着し、テンションバネ４０によりテンション軸３３を上方に弾圧付勢し、搬送非作用側の左右コンベアチェン２９にテンションローラ３５を下方から押当て、左右コンベアチェン２９を緊張させて弛みを取るように構成している。
【００１２】
図４及び図５に示すように、各テンションローラ３５の両側に輪状のスクレーパ４１Ａ，４１Ｂを設けるもので、各スクレーパ４１Ａ，４１Ｂは図６にも示すように、前記テンション軸３３にはめ込む軸受４２Ａ，４２Ｂを中心部に設け、該軸受４２Ａ，４２Ｂと前記スクレーパ４１Ａ、４１Ｂを円盤状のディスク４３Ａ，４３Ｂで一体連結し、テンション軸３３に各スクレーパ４１Ａ，４１Ｂを支持させるように構成している。
【００１３】
また、各テンションローラ３５の内側に設けるスクレーパ４１Ａの軸受４２Ａの外側端部を肉薄にしてローラ受部４４を形成し、テンションローラ３５のボス部３５ｃ内側にはめ込まれた前記ベアリング３４をローラ受部４４の外側にはめ込み、ローラ受部４４により形成された軸受４２Ａ外面の段差面４４ａと、各テンションローラ３５の外側に設けるスクレーパ４１Ｂの軸受４２Ｂの内側端面とで、ベアリング３４の内輪を挟み、かつ各テンションローラ３５の外側に設けるスクレーパ４１Ｂの軸受４２Ｂの外側端面をフィーダハウス１９の左右側壁１９ａ，１９ｂ内面に当接させた状態で、各テンションローラ３５の内側に設けるスクレーパ４１Ａの軸受４２Ａの内側端部を止めボルト４５によりテンション軸３３に固定し、テンションローラ３５とその両側に設けるスクレーパ４１ａ，４１ｂの三者の位置決めを同時に行い、各テンションローラ３５をテンション軸３３上で左右コンベアチェン２９の張設位置に回転自在に支持させ、各テンションローラ３５の両側端縁部を肉薄にして形成したローラ端縁３５ａ，３５ｂの外側に各スクレーパ４１Ａ，４１Ｂの一端縁が所定の隙間Ｌ１を設けてはまり込み、各テンションローラ３５を各スクレーパ４１Ａ，４１Ｂで挟むように、各スクレーパ４１Ａ，４１Ｂをテンション軸３３上で各テンションローラ３５の両側に支持するように構成している。
【００１４】
尚、上記の位置決めでは、各テンションローラ３５の外側に設けるスクレーパ４１Ｂの回転は規制されないが、該スクレーパ４１Ｂはこの外側端縁に、フィーダハウス１９の左右側壁１９ａ，１９ｂ内面に前記ガイド孔３２に沿って突出固定される左右のガイドレール４６を挿通させる切欠き４７を設けると共に、軸受４２Ｂの外側端部に、前記ガイドレール４６間に摺動自在にはめ込む円形のガイドキャップ４８を設けており、スクレーパ４１Ｂの回転をガイドレール４６との係合により規制できるようになっている。
【００１５】
そして、各テンションローラ３５とフィーダハウス１９の左右側壁１９ａ，１９ｂ間のテンション軸３３を各テンションローラ３５の外側に設けるスクレーパ４１Ｂで覆い、また円筒形の軸カバー４９を設け、軸カバー４９の両端部を各テンションローラ３５の内側に設けるスクレーパ４１Ａの外側にはめ込み止めボルトで５０で固定させ、軸カバー４９の両端部を各テンションローラ３５の内側に設けるスクレーパ４１Ａを介してテンション軸３３に固定支持して、各テンションローラ３５間のテンション軸３３を軸カバー４９で覆い、フィーダハウス１９の左右側壁１９ａ，１９ｂ間に挿通支持される細いテンション軸３３に刈取穀稈が巻付くのを防止するように構成している。
【００１６】
さらに、各テンションローラ３５の内側に設けるスクレーパ４１Ａのディスク４３Ａによって軸カバー４９の端部開口を閉鎖し、軸カバー４９を密閉構造に形成するもので、前記隙間Ｌ１から軸カバー４９の内部に細かい藁屑や粉塵が侵入し堆積するのを防止するように構成している。
【００１７】
また、各テンションローラ３５の両側に設けるスクレーパ４１Ａ，４１Ｂの軸受４２Ａ，４２Ｂに、テンションローラ３５のボス部３５ｃ側面を覆う円形の軸受カバー５１Ａ，５１Ｂを設け、前記隙間Ｌ１から各テンションローラ３５の内部に侵入する細かい藁屑や粉塵が、各テンションローラ３５のベアリング３４に付着してこの機能を著しく低下させ、各テンションローラ３５の回転不良を招くのを防止するように構成している。
【００１８】
図４乃至図７に示すように、前記各スクレーパ４１Ａ，４１Ｂは、各テンションローラ３５のローラ端縁３５ａ，３５ｂに隙間Ｌ１を設けてはめ込む端縁の一部に切欠き５２Ａ，５２Ｂを設けるもので、各切欠き５２Ａ，５２Ｂの両端の切欠き端縁５３ａ，５３ｂのうちテンションローラ３５の回転方向側の切欠き端縁５０ａで、前記各隙間Ｌ１に詰まろうとする藁屑や粉塵を掻落とし詰まりを防止し、各テンションローラ３５を円滑に回転させ、各ローラ３５表面をコンベアチェン２９との摺接により摩耗させてしまうのを防止し、各テンションローラ３５の耐久性を著しく向上させるように構成している。
【００１９】
また、前記各スクレーパ４１Ａ，４１Ｂの切欠き５２Ａ，５２Ｂの切欠き深さＬ２を、各テンションローラ３５のローラ端縁３５ａ，３５ｂに対する各スクレーパ４１Ａ，４１Ｂのはめ込み量Ｌ３より大に形成すると共に、図８に示すように各切欠き５２Ａ，５２Ｂをスクレーパ４１Ａ，４１Ｂの下半周面内に形成し、各テンションローラ３５と軸カバー４９のつなぎ目、即ち各テンションローラ３５のローラ端縁３５ａ，３５ｂとそこにはめ込む各スクレーパ４１Ａ，４１Ｂの切欠き５２Ａ，５２Ｂの底縁間に、下向きに開口される排塵口５４Ａ，５４Ｂを形成するもので、前記隙間Ｌ１からテンションローラ３５及びスクレーパ４１Ａ，４１Ｂ及び軸カバー４９の内部に侵入する藁屑や粉塵を排塵口５４Ａ，５４Ｂから排出し、テンションローラ３５及びスクレーパ４１Ａ，４１Ｂ及び軸カバー４９の内部に藁屑や粉塵が堆積するのを防止するように構成している。
【００２０】
前記スクレーパ４１Ａ，４１Ｂの切欠き５２Ａ，５２Ｂは、スクレーパ４１Ａ，４１Ｂの端縁の一部を直角に切欠き、テンションローラ３５の回転方向に対して直角な切欠き端縁５３ａで、前記隙間Ｌ１に詰まろうとする藁屑や粉塵を掻落とすものを示したが、掻落とし機能を高めるために、図７の仮想線に示すように、少なくとも掻落とし作用側の切欠き端縁５０ａをテンションローラ３５の回転方向と逆方向に傾斜させて向かい角を付けるようにしてもよい。また各テンションローラ３５の内側に設けるスクレーパ４１Ａの外側にはめ込む軸カバー４９の両端部が前記切欠き５２Ａ及び排塵口５４Ａを塞ぐ場合には、各テンションローラ３５の内側に設けるスクレーパ４１Ａの切欠き４９Ａに対応する切欠き５５を軸カバー４９の両端縁にも設けるものである。
【００２１】
【発明の効果】
以上実施例から明らかなように本発明は、内部にチェンコンベア２４を設けるフィーダハウス１９の左右側壁１９ａ，１９ｂ間にテンション軸３３を上下動自在に挿通支持させ、左右コンベアチェン２９に押当てる左右テンションローラ３５をテンション軸３３上に回転自在に設けると共に、左右テンションローラ３５間のテンション軸３３を覆う円筒形の軸カバー４９を設ける普通形コンバインにおいて、各テンションローラ３５の両側に輪状のスクレーパ４１Ａ，４１Ｂを設け、該スクレーパ４１Ａ，４１Ｂは、テンションローラ３５の端縁３５ａ，３５ｂに隙間Ｌ１を設けてはめ込む端縁の一部に切欠き５２Ａ，５２Ｂを形成したもので、前記隙間Ｌ１に詰まろうとする藁屑や粉塵をスクレーパ４１Ａ，４１Ｂの切欠き５２Ａ，５２Ｂの一端５３ａで掻落とし詰まりを防止できるから、テンションローラ３５を円滑に回転させることができ、ローラ３５表面を摩耗させてしまうのを防止でき、テンションローラ３５の耐久性を著しく向上させることができる顕著な効果を奏するものである。
【００２２】
また、前記切欠き５２Ａ，５２Ｂの深さＬ２をテンションローラ３５の端縁３５ａ，３５ｂに対するスクレーパ４１Ａ，４１Ｂのはめ込み量Ｌ３より大に形成すると共に、前記切欠き５２Ａ，５２Ｂをスクレーパ４１Ａ，４１Ｂの下半周面内に形成したもので、テンションローラ３５と軸カバー４９のつなぎ目に下向きに開口される排塵口５４Ａ，５４Ｂを形成でき、前記隙間Ｌ１からテンションローラ３５及び軸カバー４９の内部に侵入する藁屑や粉塵を排塵口５４Ａ，５４Ｂから排出できるから、テンションローラ３５及び軸カバー４９の内部に藁屑や粉塵が堆積するのを防止できる顕著な効果を奏するものである。
【００２３】
また、前記スクレーパ４１Ａ，４１Ｂの中心部に軸受４２Ａ，４２Ｂを設けると共に、該軸受４２Ａ，４２Ｂとスクレーパ４１Ａ，４１Ｂを円盤状のディスク４３Ａ，４３Ｂで一体連結し、テンション軸３３にスクレーパ４１Ａ，４１Ｂを支持させたもので、各テンションローラ３５の内側のスクレーパ４１Ａにより軸カバー４９を密閉構造に形成できるから、前記隙間Ｌ１から軸カバー４９の内部に藁屑や粉塵が侵入し堆積するのを確実に防止できる顕著な効果を奏するものである。
【００２４】
また、各テンションローラ３５の内側に設けるスクレーパ４１Ａにより軸カバー４９をテンション軸３３に支持させたもので、各テンションローラ３５の内側のスクレーパ４１Ａを、軸カバー４９をテンション軸３３に固定支持するカバー受けとして兼用でき、テンションローラ３５の回転不良を招くことなく、左右テンションローラ３５間のテンション軸３３への刈取穀稈の巻付きを適正に防止できる顕著な効果を奏するものである。
【図面の簡単な説明】
【図１】普通形コンバインの全体側面図
【図２】普通形コンバインの全体平面図
【図３】フィーダハウスの断面側面図
【図４】テンション機構部の断面背面図
【図５】テンションローラ部の断面背面図
【図６】スクレーパの外観斜視図
【図７】テンションローラ部の底面図
【図８】フィーダハウスの概略側面説明図
【符号の説明】
１９　　フィーダハウス
１９ａ，１９ｂ　　左右側壁
２４　　チェンコンベア
２９　　コンベアチェン
３３　　テンション軸
３５　　テンションローラ
４１Ａ，４１Ｂ　　スクレーパ
４２Ａ，４２Ｂ　　軸受
４３Ａ，４３Ｂ　　ディスク
４９　　軸カバー
５２Ａ，５２Ｂ　　切欠き
５４Ａ，５４Ｂ　　排塵口
【図１】
2004041088.tif 000003
【図２】
2004041088.tif 000004
【図３】
2004041088.tif 000005
【図４】
2004041088.tif 000006
【図５】
2004041088.tif 000007
【図６】
2004041088.tif 000008
【図７】
2004041088.tif 000009
【図８】
2004041088.tif 000010